(57)【要約】【課題】受信中のデジタル音声放送中断時に同内容の放送を行っている他の周波数チャネルのデジタル音声放送に速やかに切り替える「ラジオ放送受信装置」を提供する。【解決手段】819kHzの周波数チャネルのＡデジタル音声放送を受信しているラジオ放送受信器は、時刻t1で819kHzの周波数チャネルのＡデジタル音声放送の終了を検出すると、音声出力をミュートし、受信チャネルを、Ａデジタル音声放送を受信した周波数チャネルの周波数819kHzに周波数スパン10kHzを加えた829kHzの周波数チャネルに設定し、受信チャネルでＡデジタル音声放送が放送されているかどうかを調べ、放送されていれば、音声出力のミュートを解除し、放送されていない場合には、受信チャネルを、周波数ステップSずつ変化させながらＡデジタル音声放送を受信できる周波数チャネルを探索して、音声出力のミュートを解除する。【選択図】図４
2019129325.tif 000002
【特許請求の範囲】
【請求項１】
同周波数帯の各周波数チャネルでそれぞれ行われているアナログ音声放送とデジタル音声放送を選択的に受信し、受信した音声を出力するラジオ放送受信装置であって、
前記周波数チャネルを設けることのできる周波数間の最小間隔を周波数スパンとして、
当該ラジオ放送受信装置は、
受信し音声を出力していたデジタル音声放送である切替元デジタル音声放送が受信できなくなったときに、当該切替元デジタル音声放送と同内容のデジタル音声放送が行われている周波数チャネルを探索し、探索した周波数チャネルで行われているデジタル音声放送である切替先デジタル音声放送に、受信し音声を出力するデジタル音声放送を切り替えるデジタル音声放送切替手段を有し、
前記デジタル音声放送切替手段は、前記切替元デジタル音声放送が受信できなくなったときに、最初に、前記切替元デジタル音声放送を受信していた周波数チャネルである切替元周波数チャネルの周波数に周波数スパンを加えた周波数の周波数チャネルである増方向隣接周波数チャネルについて、当該増方向隣接周波数チャネルで前記切替元デジタル音声放送と同内容のデジタル音声放送が行われているかどうかを調べ、前記切替元デジタル音声放送と同内容のデジタル音声放送が行われている場合には、当該増方向隣接周波数チャネルで行われているデジタル音声放送に、受信し音声を出力するデジタル音声放送を切り替えることを特徴とするラジオ放送受信装置。
【請求項２】
請求項１記載のラジオ放送受信装置であって、
前記デジタル音声放送切替手段は、前記増方向隣接周波数チャネルで前記切替元デジタル音声放送と同内容のデジタル音声放送が行われていなかった場合に、少なくとも、前記切替元周波数チャネルと前記増方向隣接周波数チャネルを除く各周波数チャネルについて、順次、当該周波数チャネルで前記切替元デジタル音声放送と同内容のデジタル音声放送が行われているかどうかを調べ、前記切替元デジタル音声放送と同内容のデジタル音声放送が行われている場合には、当該周波数チャネルで行われているデジタル音声放送に、受信し音声を出力するデジタル音声放送を切り替えることを特徴とするラジオ放送受信装置。
【請求項３】
請求項１または２記載のラジオ放送受信装置であって、
前記デジタル音声放送切替手段は、前記増方向隣接周波数チャネルに受信し音声を出力するデジタル音声放送を切り替えた後に、前記増方向隣接周波数チャネルでデジタル音声放送が受信できなくなったときに、前記切替元周波数チャネルで行われているデジタル音声放送に、受信し音声を出力するデジタル音声放送を切り替えることを特徴とするラジオ放送受信装置。
【請求項４】
請求項１記載のラジオ放送受信装置であって、
前記デジタル音声放送切替手段は、前記増方向隣接周波数チャネルに受信し音声を出力するデジタル音声放送を切り替えた後に、前記増方向隣接周波数チャネルでデジタル音声放送が受信できなくなったときに、最初に、前記切替元周波数チャネルで、前記増方向隣接周波数チャネルで行われていたデジタル音声放送と同内容のデジタル音声放送が行われているかどうかを調べ、同内容のデジタル音声放送が行われている場合に、当該切替元周波数チャネルで行われているデジタル音声放送に、受信し音声を出力するデジタル音声放送を切り替えることを特徴とするラジオ放送受信装置。
【請求項５】
請求項１記載のラジオ放送受信装置であって、
前記デジタル音声放送切替手段は、前記増方向隣接周波数チャネルで前記切替元デジタル音声放送と同内容のデジタル音声放送が行われていなかった場合に、次に、前記切替元デジタル音声放送を受信していた周波数チャネルの周波数から前記周波数スパンを減じた周波数の周波数チャネルである減方向隣接周波数チャネルについて、当該減方向隣接周波数チャネルで前記切替元デジタル音声放送と同内容のデジタル音声放送が行われているかどうかを調べ、前記切替元デジタル音声放送と同内容のデジタル音声放送が行われている場合には、当該減方向隣接周波数チャネルに受信し音声を出力するデジタル音声放送を切り替えることを特徴とするラジオ放送受信装置。
【請求項６】
請求項５記載のラジオ放送受信装置であって、
前記デジタル音声放送切替手段は、前記減方向隣接周波数チャネルで前記切替元デジタル音声放送と同内容のデジタル音声放送が行われていなかった場合に、少なくとも、前記切替元周波数チャネルと前記増方向隣接周波数チャネルと前記減方向隣接周波数チャネルを除く各周波数チャネルについて、順次、当該周波数チャネルで前記切替元デジタル音声放送と同内容のデジタル音声放送が行われているかどうかを調べ、前記切替元デジタル音声放送と同内容のデジタル音声放送が行われている場合には、当該周波数チャネルで行われているデジタル音声放送に、受信し音声を出力するデジタル音声放送を切り替えることを特徴とするラジオ放送受信装置。
【請求項７】
請求項５または６記載のラジオ放送受信装置であって、
前記デジタル音声放送切替手段は、前記減方向隣接周波数チャネルに受信し音声を出力するデジタル音声放送を切り替えた後に、前記減方向隣接周波数チャネルでデジタル音声放送が受信できなくなったときに、前記切替元周波数チャネルで行われているデジタル音声放送に、受信し音声を出力するデジタル音声放送を切り替えることを特徴とするラジオ放送受信装置。
【請求項８】
請求項５または６記載のラジオ放送受信装置であって、
前記デジタル音声放送切替手段は、前記減方向隣接周波数チャネルに受信し音声を出力するデジタル音声放送を切り替えた後に、前記減方向隣接周波数チャネルでデジタル音声放送が受信できなくなったときに、最初に、前記切替元周波数チャネルで、前記減方向隣接周波数チャネルで行われていたデジタル音声放送と同内容のデジタル音声放送が行われているかどうかを調べ、同内容のデジタル音声放送が行われている場合に、当該切替元周波数チャネルで行われているデジタル音声放送に、受信し音声を出力するデジタル音声放送を切り替えることを特徴とするラジオ放送受信装置。
【発明の詳細な説明】
【技術分野】
【０００１】
本発明は、ラジオ放送受信装置において、受信する放送を、受信中であった放送から当該放送と同内容の放送を行っている他の放送に切り替える技術に関するものである。
【背景技術】
【０００２】
ラジオ放送受信装置において、受信する放送を、受信中であった放送から当該放送と同内容の放送を行っている他の放送に切り替える技術としては、DAB（Digital Audio Broadcasting）とFM放送とを受信するラジオ放送受信装置において、受信中のDABのサービスの受信品質が劣化したときに、当該DABのサービスとサイマル放送の関係にあるFM放送のステーションに、受信対象を切り替える技術が知られている（たとえば、特許文献１）。
【０００３】
また、ラジオ放送の技術としては、振幅変調によるアナログ音声放送が行われている短波帯帯や中波帯において、振幅変調による放送としてデジタル音声放送も行うDRM（Digital Radio Mondiale）の技術も知られている（たとえば、特許文献２）。
【先行技術文献】
【特許文献】
【０００４】
【特許文献１】特開２０１３-１２０９６７号公報
【特許文献２】特開２０１６-１２７４８４号公報
【発明の概要】
【発明が解決しようとする課題】
【０００５】
DRMの技術を用いて同じ周波数帯でアナログ音声放送とデジタル音声放送とを行う国において、通常デジタル音声放送が行われている周波数チャネルで、特定の時間帯のみアナログ音声放送が行われることがある（たとえばインド）。
【０００６】
そして、このような場合に、受信中の周波数チャネルのラジオ放送がデジタル音声放送からアナログ音声放送に切り替わったときには、受信中であったデジタル音声放送から当該デジタル音声放送と同内容の放送を行っている他の周波数チャネルのデジタル音声放送に切り替えることが好ましい。
【０００７】
しかしながら、この切り替えのために、受信中の周波数チャネルのデジタル音声放送が終了したときに、予め定めた順番で各周波数チャネルを順次受信して、受信中であったデジタル音声放送と同内容の放送を行っている他の周波数チャネルを探索して探索した周波数チャネルのデジタル音声放送の受信を開始することとすると、受信中であったデジタル音声放送と同内容の放送を行っている他の周波数チャネルのデジタル音声放送の受信を開始するまでに長時間を要してしまうことがある。
【０００８】
そこで、本発明は、受信中の周波数チャネルのデジタル音声放送が終了したときに、受信するラジオ放送を、受信中であったデジタル音声放送と同内容の放送を行っている他の周波数チャネルのデジタル音声放送に、より速やかに切り替えることのできるラジオ放送受信装置を提供することを課題とする。
【課題を解決するための手段】
【０００９】
前記課題達成のために、本発明は、同周波数帯の各周波数チャネルでそれぞれ行われているアナログ音声放送とデジタル音声放送を選択的に受信し、受信した音声を出力するラジオ放送受信装置に、受信し音声を出力していたデジタル音声放送である切替元デジタル音声放送が受信できなくなったときに、当該切替元デジタル音声放送と同内容のデジタル音声放送が行われている周波数チャネルを探索し、探索した周波数チャネルで行われているデジタル音声放送である切替先デジタル音声放送に、受信し音声を出力するデジタル音声放送を切り替えるデジタル音声放送切替手段を設けたものである。ここで、前記周波数チャネルを設けることのできる周波数間の最小間隔を周波数スパンとして、前記デジタル音声放送切替手段は、前記切替元デジタル音声放送が受信できなくなったときに、最初に、前記切替元デジタル音声放送を受信していた周波数チャネルである切替元周波数チャネルの周波数に周波数スパンを加えた周波数の周波数チャネルである増方向隣接周波数チャネルについて、当該増方向隣接周波数チャネルで前記切替元デジタル音声放送と同内容のデジタル音声放送が行われているかどうかを調べ、前記切替元デジタル音声放送と同内容のデジタル音声放送が行われている場合には、当該増方向隣接周波数チャネルで行われているデジタル音声放送に、受信し音声を出力するデジタル音声放送を切り替える。
【００１０】
ここで、このようなラジオ放送受信装置は、前記デジタル音声放送切替手段において、前記増方向隣接周波数チャネルで前記切替元デジタル音声放送と同内容のデジタル音声放送が行われていなかった場合に、少なくとも、前記切替元周波数チャネルと前記増方向隣接周波数チャネルを除く各周波数チャネルについて、順次、当該周波数チャネルで前記切替元デジタル音声放送と同内容のデジタル音声放送が行われているかどうかを調べ、前記切替元デジタル音声放送と同内容のデジタル音声放送が行われている場合には、当該周波数チャネルで行われているデジタル音声放送に、受信し音声を出力するデジタル音声放送を切り替えるように構成することが好ましい。
【００１１】
以上のようなラジオ放送受信装置によれば、第１の周波数チャネルのデジタル音声放送で受信した音声を出力しているときにデジタル音声放送が受信できなくなったときに、最初に、第１の周波数チャネルから周波数の増方向に周波数スパン離れて隣接する第２の周波数チャネルで、そのデジタル音声放送と同内容のデジタル音声放送が行われているかどうかを調べ、行われている場合には第２の周波数チャネルのデジタル音声放送に受信し音声を出力するデジタル音声放送を切り替える。
【００１２】
よって、第１の周波数チャネルで行われているデジタル音声放送が、特定の時間帯のみ、第１の周波数チャネルの周波数に周波数スパンを加えた周波数の周波数チャネルである第２の周波数チャネルに移行して行われている国／地域において、第１の周波数チャネルのデジタル音声放送で受信した音声を出力しているときに前記特定の時間帯が到来してデジタル音声放送が受信できなくなったときに、受信し音声を出力するデジタル音声放送の、受信中であったデジタル音声放送と同内容の放送を行っている第２の周波数チャネルのデジタル音声放送への切替を、速やかに行うことができる。
【００１３】
また、以上のようなラジオ放送受信装置は、前記デジタル音声放送切替手段において、前記増方向隣接周波数チャネルに受信し音声を出力するデジタル音声放送を切り替えた後に、前記増方向隣接周波数チャネルでデジタル音声放送が受信できなくなったときに、前記切替元周波数チャネルで行われているデジタル音声放送に、受信し音声を出力するデジタル音声放送を切り替えるように構成してもよい。
【００１４】
または、以上のようなラジオ放送受信装置は、前記デジタル音声放送切替手段において、前記増方向隣接周波数チャネルに受信し音声を出力するデジタル音声放送を切り替えた後に、前記増方向隣接周波数チャネルでデジタル音声放送が受信できなくなったときに、最初に、前記切替元周波数チャネルで、前記増方向隣接周波数チャネルで行われていたデジタル音声放送と同内容のデジタル音声放送が行われているかどうかを調べ、同内容のデジタル音声放送が行われている場合に、当該切替元周波数チャネルで行われているデジタル音声放送に、受信し音声を出力するデジタル音声放送を切り替えるように構成してもよい。
【００１５】
これらのようにすることにより、第１の周波数チャネルで行われているデジタル音声放送が、特定の時間帯のみ、第１の周波数チャネルの周波数に周波数スパンを加えた周波数の周波数チャネルである第２の周波数チャネルに移行して行われている国／地域において、当該特定の時間帯の経過時に、受信し音声を出力するデジタル音声放送を、第１の周波数チャネルのデジタル音声放送に速やかに復帰することができる。
【００１６】
また、このようなラジオ放送受信装置は、前記デジタル音声放送切替手段において、前記増方向隣接周波数チャネルで前記切替元デジタル音声放送と同内容のデジタル音声放送が行われていなかった場合に、次に、前記切替元デジタル音声放送を受信していた周波数チャネルの周波数から周波数スパンを減じた周波数の周波数チャネルである減方向隣接周波数チャネルについて、当該減方向隣接周波数チャネルで前記切替元デジタル音声放送と同内容のデジタル音声放送が行われているかどうかを調べ、前記切替元デジタル音声放送と同内容のデジタル音声放送が行われている場合には、当該減方向隣接周波数チャネルに受信し音声を出力するデジタル音声放送を切り替えるように構成してもよい。
【００１７】
また、この場合には、ラジオ放送受信装置を、前記デジタル音声放送切替手段は、前記減方向隣接周波数チャネルで前記切替元デジタル音声放送と同内容のデジタル音声放送が行われていなかった場合に、少なくとも、前記切替元周波数チャネルと前記増方向隣接周波数チャネルと前記減方向隣接周波数チャネルを除く各周波数チャネルについて、順次、当該周波数チャネルで前記切替元デジタル音声放送と同内容のデジタル音声放送が行われているかどうかを調べ、前記切替元デジタル音声放送と同内容のデジタル音声放送が行われている場合には、当該周波数チャネルで行われているデジタル音声放送に、受信し音声を出力するデジタル音声放送を切り替えるように構成することが好ましい。
【００１８】
以上のようなラジオ放送受信装置によれば、第２の周波数チャネルのデジタル音声放送で受信した音声を出力しているときにデジタル音声放送が受信できなくなったときに、２番目に、第２の周波数チャネルから周波数の減方向に周波数スパン離れて隣接する第１の周波数チャネルで、そのデジタル音声放送と同内容のデジタル音声放送が行われているかどうかを調べ、行われている場合には第１の周波数チャネルのデジタル音声放送に受信し音声を出力するデジタル音声放送を切り替える。
【００１９】
よって、第１の周波数チャネルで行われているデジタル音声放送が、特定の時間帯のみ、第１の周波数チャネルの周波数に周波数スパンを加えた周波数の周波数チャネルである第２の周波数チャネルに移行して行われている国／地域において第２の周波数チャネルのデジタル音声放送で受信した音声を出力しているときに前記特定の時間帯が経過してデジタル音声放送が受信できなくなったときに、受信中であったデジタル音声放送と同内容の放送を行っている第１の周波数チャネルのデジタル音声放送への切替を、速やかに行うことができる。
【００２０】
また、この場合には、ラジオ放送受信装置は、前記デジタル音声放送切替手段において、前記減方向隣接周波数チャネルに受信し音声を出力するデジタル音声放送を切り替えた後に、前記減方向隣接周波数チャネルでデジタル音声放送が受信できなくなったときに、前記切替元周波数チャネルで行われているデジタル音声放送に、受信し音声を出力するデジタル音声放送を切り替えるように構成してもよい。
【００２１】
または、この場合には、ラジオ放送受信装置を、前記デジタル音声放送切替手段において、前記減方向隣接周波数チャネルに受信し音声を出力するデジタル音声放送を切り替えた後に、前記減方向隣接周波数チャネルでデジタル音声放送が受信できなくなったときに、最初に、前記切替元周波数チャネルで、前記減方向隣接周波数チャネルで行われていたデジタル音声放送と同内容のデジタル音声放送が行われているかどうかを調べ、同内容のデジタル音声放送が行われている場合に、当該切替元周波数チャネルで行われているデジタル音声放送に、受信し音声を出力するデジタル音声放送を切り替えるように構成してもよい。
【００２２】
これらのようにすることにより、第１の周波数チャネルで行われているデジタル音声放送が、特定の時間帯のみ、第１の周波数チャネルの周波数に周波数スパンを加えた周波数の周波数チャネルである第２の周波数チャネルに移行して行われている国／地域において、当該特定の時間帯の到来時に、受信し音声を出力するデジタル音声放送を、第２の周波数チャネルのデジタル音声放送に速やかに復帰することができる。
【発明の効果】
【００２３】
以上のように、本発明によれば、受信中の周波数チャネルのデジタル音声放送が終了したときに、受信するラジオ放送を、受信中であったデジタル音声放送と同内容の放送を行っている他の周波数チャネルのデジタル音声放送に、より速やかに切り替えることのできるラジオ放送受信装置を提供することができる。
【図面の簡単な説明】
【００２４】
【図１】本発明の実施形態に係るラジオ放送受信機の構成を示すブロック図である。
【図２】デジタル音声放送とアナログ音声放送の放送例を示すブロック図である。
【図３】本発明の実施形態に係るデジタル音声放送切替処理を示すフローチャートである。
【図４】本発明の実施形態に係るデジタル音声放送切替処理の処理例を示す図である。
【発明を実施するための形態】
【００２５】
以下、本発明の実施形態について説明する。
図１に、本実施形態に係るラジオ放送受信機の構成を示す。
ここで、本ラジオ放送受信器は、同周波数帯内の振幅変調による放送としてアナログ音声放送(いわゆる通常のAM放送）と、DRM（Digital Radio Mondiale）による放送であるデジタル音声放送とが行われている国/地域に適用されるラジオ放送受信器であり、アナログ音声放送とデジタル音声放送の双方を受信し、受信した音声を出力することができる。
【００２６】
さて、図示するように、ラジオ放送受信機１は、AMチューナ１、受信信号処理部２、放送情報処理部３、デジタル音声処理部４、アナログ音声処理部５、セレクタ６、アンプ７、スピーカ８、入力装置９、表示装置１０、記憶装置１１、以上各部を制御する制御部１２を備えている。
【００２７】
AMチューナ１は、制御部１２から受信チャネルとして設定された周波数チャネルの放送信号を受信し、受信信号処理部２は、AMチューナ１が受信した放送信号を処理し、放送信号に含まれる放送情報の信号を放送情報処理部３に送り、放送信号に含まれるデジタル音声放送の信号をデジタル音声処理部４に送り、放送信号に含まれるアナログ音声放送の信号をアナログ音声処理部５に送る。
【００２８】
そして、デジタル音声処理部４は、受信信号処理部２から送られた信号から音声をデコードしてセレクタ６に出力し、アナログ音声処理部５は、受信信号処理部２から送られた信号から音声を復調してセレクタ６に出力する。
【００２９】
セレクタ６は、デジタル音声処理部４が音声を出力しているときには、デジタル音声処理部４から出力された音声をアンプ７に出力し、アナログ音声処理部５から音声が出力されているときには、アナログ音声処理部５から出力された音声をアンプ７に出力する。そして、アンプ７は、セレクタ６から出力された音声を増幅しスピーカ８に出力する。
【００３０】
一方、放送情報処理部３は、受信信号処理部２から送られた信号から、放送情報をデコードし、制御部１２に送る。ここで、この放送情報としては、受信チャネルで放送を行っている放送サービスの識別子であるSID、受信チャネルで放送を行っている放送局名を表すSNやその他の放送内容の識別を表す情報等がある。
【００３１】
そして、制御部１２は、AMチューナ１の受信チャネルを、入力装置９を介したユーザ操作に応じて切り替えたり、アンプ７のゲインを入力装置９を介したユーザ操作に応じて変更したり、放送情報処理部３から送られた放送情報を表示装置１０に表示する処理などを行う。
【００３２】
ここで、本ラジオ放送受信機が適用される国/地域では、通常、デジタル音声放送が行われているが、特定の時間帯のみ、デジタル音声放送が中断されて、代わりにアナログ音声放送が行われる複数の周波数チャネルが存在する。そして、中断されたデジタル音声放送は、中断されている期間中、当該デジタル音声放送が行われていた周波数チャネルに周波数スパン（周波数チャネルを設けることのできる周波数の間隔）高周波数側に離れて隣接する他の周波数チャネルにおいて行われる。
【００３３】
すなわち、本ラジオ放送受信機が適用される国/地域では、たとえば、図２に示すように、X kHzの周波数チャネルでは、通常Ａデジタル音声放送が行われているが、時刻T1から時刻T2の時間帯のみＢアナログ音声放送が行われる。
【００３４】
そして、この時刻T1から時刻T2の時間帯は、X kHzの周波数チャネルに周波数スパンS kHz高周波数側に離れて隣接するX+S kHzの周波数チャネルで、X kHzの周波数チャネルで行われていたＡデジタル音声放送が行われる。
【００３５】
以下、このようなラジオ放送受信器において、デジタル音声放送の受信中に制御部１２が行うデジタル音声放送切替処理について説明する。
図３に、このデジタル音声放送切替処理の手順を示す。
図示するように、制御部１２は、デジタル音声放送切替処理において、受信チャネルで受信中のデジタル音声放送の終了を監視する（ステップ３０２）。ここで、デジタル音声放送の終了の検出は、たとえば、放送情報処理部３から送られた放送情報がデジタル音声放送を放送中であることを表さなくなったときに制御部１２においてデジタル音声放送の終了を検出したり、デジタル音声処理部４において、受信信号処理部２からデジタル音声放送の信号の出力の有無を検出して制御部１２に通知し、当該通知に基づいて制御部１２においてデジタル音声放送の終了を検出すること等により行う。
【００３６】
そして、受信チャネルで受信中のデジタル音声放送の終了を検出したならば（ステップ３０２）、終了したデジタル音声放送を対象デジタル音声放送として、対象デジタル音声放送のSIDやSNやその他の放送内容の識別を表す情報を対象デジタル音声放送識別情報として記憶し、受信チャネルを復帰チャネルとして記憶する（ステップ３０４）。
【００３７】
そして、アンプ７にスピーカ８への音声出力をミュートさせる（ステップ３０６）。
また、次に、制御部１２は、AMチューナ１に受信チャネルとして復帰チャネルの周波数+S kHzの周波数の周波数チャネルを受信チャネルとして設定（ステップ３０８）する。なお、Sは、ラジオ放送受信器が放送を受信している国／地域における周波数スパン（単位kHz）を表す。
【００３８】
そして、設定した受信チャネルで対象デジタル音声放送を受信できたかどうかを判定する（ステップ３１０）。ここで、設定した受信チャネルで対象デジタル音声放送を受信できたかどうかの判定は、たとえば、放送情報処理部３から受信した放送情報のSIDやSNやその他の放送内容の識別を表す情報が、対象デジタル音声放送識別情報として記憶されている情報と一致した場合に、対象デジタル音声放送を受信できたと判定することにより行う。
【００３９】
そして、設定した受信チャネルで対象デジタル音声放送を受信できた場合には（ステップ３１０）、ステップ３１６に進む。
一方、設定した受信チャネルで対象デジタル音声放送を受信できなかった場合には（ステップ３１０）、AMチューナ１に受信チャネルとして復帰チャネルの周波数-S kHzの周波数の周波数チャネルを受信チャネルとして設定し（ステップ３１２）、設定した受信チャネルで対象デジタル音声放送を受信できたかどうかを判定する（ステップ３１４）。
【００４０】
そして、設定した受信チャネルで対象デジタル音声放送を受信できた場合には（ステップ３１４）、ステップ３１６に進み、設定した受信チャネルで対象デジタル音声放送を受信できなかった場合には、ステップ３３０に進む。
【００４１】
次に、ステップ３１０またはステップ３１４で対象デジタル音声放送を受信でき、ステップ３１６に進んだならば、アンプ７のスピーカ８への音声出力のミュートを解除し（ステップ３１６）、その時点の受信チャネルで受信したデジタル音声放送の音声のスピーカ８からの出力を開始する。
【００４２】
そして、受信チャネルで受信中のデジタル音声放送の終了を監視し（ステップ３１８）、終了を検出したならば、アンプ７にスピーカ８への音声出力をミュートさせる（ステップ３２０）。
【００４３】
また、制御部１２は、記憶されている復帰チャネルをAMチューナ１に受信チャネルとして設定し（ステップ３２２）、設定した受信チャネルで対象デジタル音声放送を受信できたかどうかを判定する（ステップ３２４）。
【００４４】
そして、設定した受信チャネルで対象デジタル音声放送を受信できた場合には（ステップ３２４）、ステップ３１８で終了を検出したデジタル音声放送を行っていた周波数チャネルに復帰チャネルを更新し（ステップ３２６）、アンプ７のスピーカ８への音声出力のミュートを解除し（ステップ３２８）、ステップ３１８からの処理に戻る。
【００４５】
一方、ステップ３２２で設定した受信チャネルで対象デジタル音声放送を受信できなかった場合には（ステップ３２４）、ステップ３３０に進む。
次に、ステップ３１４またはステップ３２４からステップ３３０に進んだ場合には、対象デジタル音声放送を受信できるまで、AMチューナ１の受信チャネルを、所定の周波数チャネルから周波数ステップSずつ変化させながら、設定した受信チャネルで対象デジタル音声放送を受信できるかどうかを調べる探索処理を実行する。
【００４６】
そして、探索処理において、対象デジタル音声放送を受信できる受信チャネルが探索できたならば（ステップ３３２）、アンプ７のスピーカ８への音声出力のミュートを解除し（ステップ３３４）、ステップ３０２からの処理に戻る。
【００４７】
一方、探索処理において、全ての周波数チャネルを受信しても対象デジタル音声放送を受信できる受信チャネルが探索できなかった場合には（ステップ３３２）、任意のデジタル音声放送を受信できる周波数チャネルを受信チャネルに設定する処理を行って（ステップ３３６）、アンプ７のスピーカ８への音声出力のミュートを解除し（ステップ３３４）、ステップ３０２からの処理に戻る。
【００４８】
以上、制御部１２が行うデジタル音声放送切替処理について説明した。
以下、このようなデジタル音声放送切替処理の処理例を示す。
いま、図４に示すように、819kHzの周波数チャネルでは、通常Ａデジタル音声放送が行われているが、各日において時刻T1（たとえば、１５時３０分）から時刻T2（たとえば、１６時３０分）の時間帯のみＢアナログ音声放送が行われるものとする。
【００４９】
また、ラジオ放送受信器が放送を受信している国／地域における周波数スパンは10kHzであるものとする。
そして、この時刻T1から時刻T2の時間帯は、819kHzの周波数チャネルに周波数スパンである10kHz高周波数側に離れて隣接する829kHzの周波数チャネルで、819kHzの周波数チャネルで行われていたＡデジタル音声放送が行われるものとする。
【００５０】
この場合、819kHzの周波数チャネルのＡデジタル音声放送を受信しているラジオ放送受信器は、時刻t1で819kHzの周波数チャネルのＡデジタル音声放送の終了を検出すると、819kHzの周波数チャネルを復帰チャネルとして記憶し、音声出力をミュートする。
【００５１】
そして、受信チャネルを、Ａデジタル音声放送を受信した周波数チャネルの周波数819kHzに周波数スパン10kHzを加えた829kHzの周波数チャネルに設定し、受信チャネルでＡデジタル音声放送が放送されているかどうかを調べ、放送されていれば、音声出力のミュートを解除し、この時点で受信チャネルに設定されている829kHzの周波数チャネルのＡデジタル音声放送の音声の音声出力を開始する。
【００５２】
そして、その後、時刻t2で829kHzの周波数チャネルのＡデジタル音声放送の終了を検出すると音声出力をミュートする。
そして、受信チャネルを、復帰チャネルとして記憶している周波数819kHzの周波数チャネルに設定し、受信チャネルでＡデジタル音声放送が放送されているかどうかを調べ、放送されていれば音声出力のミュートを解除し、この時点で受信チャネルに設定されている819kHzの周波数チャネルのＡデジタル音声放送の音声の音声出力を開始する。
【００５３】
このように、本実施形態に係るデジタル音声放送切替処理によれば、819kHzの周波数チャネルのデジタル音声放送で受信した音声を出力しているときにデジタル音声放送が受信できなくなったときに、最初に、819kHzの周波数チャネルから周波数の増方向に周波数スパン10kHz離れて隣接する829kHzの周波数チャネルで、そのデジタル音声放送と同内容のデジタル音声放送が行われているかどうかを調べ、行われている場合には829kHzの周波数チャネルのデジタル音声放送に、受信し音声を出力するデジタル音声放送を切り替えるので、時刻t1において、819kHzの周波数チャネルがＡデジタル音声放送からＢアナログ音声放送に切り替わり、829kHzの周波数チャネルでＡデジタル音声放送が開始されたときに、受信し音声を出力するデジタル音声放送を、829kHzの周波数チャネルのデジタル音声放送へ速やかに切り替えることができる。
【００５４】
また、829kHzの周波数チャネルのデジタル音声放送へ受信し音声を出力するデジタル音声放送を切り替えた後に、デジタル音声放送を受信できなくなった場合には、最初に、切替元の819kHzの周波数チャネルで、そのデジタル音声放送と同内容のデジタル音声放送が行われているかどうかを調べ、行われている場合には819kHzの周波数チャネルのデジタル音声放送に受信し音声を出力するデジタル音声放送を切り替えるので、時刻t2において、829kHzの周波数チャネルでＡデジタル音声放送が終了し、819kHzの周波数チャネルでＡデジタル音声放送が再開されたときに、受信し音声を出力するデジタル音声放送を、819kHzの周波数チャネルのデジタル音声放送へ速やかに切り替えることができる。
【００５５】
なお、819kHzの周波数チャネルのＡデジタル音声放送からの切替ではなく、ユーザ操作等に応じて829kHzの周波数チャネルでＡデジタル音声放送を受信しているときに、時刻t2が到来しＡデジタル音声放送が受信できなくなったときにも、２番目に、829kHzの周波数チャネルから周波数の減方向に周波数スパン10kHz離れて隣接する819kHzの周波数チャネルで、そのデジタル音声放送と同内容のデジタル音声放送が行われているかどうかを調べ、行われている場合には819kHzの周波数チャネルのデジタル音声放送に受信し音声を出力するデジタル音声放送を切り替えるので、時刻t2において、829kHzの周波数チャネルでＡデジタル音声放送が終了し、819kHzの周波数チャネルでＡデジタル音声放送が再開されたときに、受信し音声を出力するデジタル音声放送を、819kHzの周波数チャネルのデジタル音声放送へ速やかに切り替えることができる。
【００５６】
また、その後、819kHzの周波数チャネルのデジタル音声放送への切替後、翌日の時刻t1が到来し、819kHzの周波数チャネルのデジタル音声放送を受信できなくなった場合には、最初に、切替元の829kHzの周波数チャネルで、そのデジタル音声放送と同内容のデジタル音声放送が行われているかどうかを調べ、行われている場合には829kHzの周波数チャネルのデジタル音声放送に受信し音声を出力するデジタル音声放送を切り替えるので、時刻t1において、819kHzの周波数チャネルがＡデジタル音声放送からＢアナログ音声放送に切り替わり、829kHzの周波数チャネルでＡデジタル音声放送が開始されたときに、受信し音声を出力するデジタル音声放送を、829kHzの周波数チャネルのデジタル音声放送へ速やかに切り替えることができる。
【００５７】
なお、図４の例では、周波数スパンを10kHzとしたが、周波数スパンの値は9kHz等の他の値である場合もある。
以上、本発明の実施形態について説明した。
なお、以上の実施形態における図３に示したデジタル音声放送切替処理は、ステップ３１２、３１４を廃し、ステップ３１０で設定した受信チャネルで対象デジタル音声放送を受信できなかった場合には、ステップ３３０に進む処理としてもよい。
【００５８】
また、図３に示したデジタル音声放送切替処理は、ステップ３２４を廃し、ステップ３２４でAMチューナ１に、記憶されている復帰チャネルを受信チャネルとして設定したならば（ステップ３２４）、ステップ３１８で終了を検出したデジタル音声放送を行っていた周波数チャネルに復帰チャネルを更新し（ステップ３２６）、アンプ７のスピーカ８への音声出力のミュートを解除し（ステップ３２８）、ステップ３１８からの処理に戻る処理としてもよい。
【００５９】
また、図３に示したデジタル音声放送切替処理は、ステップ３１８からステップ３２８を廃し、ステップ３１６で、アンプ７のスピーカ８への音声出力のミュートを解除したならば、ステップ３０２に戻る処理としてもよい。
【符号の説明】
【００６０】
１…ラジオ放送受信機、１…AMチューナ、２…受信信号処理部、３…放送情報処理部、４…デジタル音声処理部、５…アナログ音声処理部、６…セレクタ、７…アンプ、８…スピーカ、９…入力装置、１０…表示装置、１１…記憶装置、１２…制御部。
【図１】
2019129325.tif 000003
【図２】
2019129325.tif 000004
【図３】
2019129325.tif 000005
【図４】
2019129325.tif 000006